【手続補正書】
【提出日】平成19年6月21日(2007.6.21)
【手続補正１】
【補正対象書類名】特許請求の範囲
【補正対象項目名】全文
【補正方法】変更
【補正の内容】
【特許請求の範囲】
【請求項１】
ユーザが指定する指定検索語を含む複数の検索語と、前記ユーザが指定する前記指定検索語に付された機能語とを含む検索クエリを受け取り、
前記機能語に基づいて前記指定検索語を拡張することにより拡張検索クエリを生成し、
前記拡張検索クエリを使用して検索を実行する、
ことを特徴とする検索システムの実行方法。
【請求項２】
前記複数の検索語はさらにユーザが指定する第２の検索語を含み、前記検索クエリはさらに前記ユーザが指定する前記第２の検索語に付された区切り文字を含み、
前記検索拡張クエリの生成は、前記区切り文字に基づいて前記第２の検索語が拡張されないように拡張検索クエリを生成することを特徴とする請求項１記載の検索システムの実行方法。
【請求項３】
前記拡張検索クエリの生成は、前記指定検索語の意味を決定して前記指定検索語の拡張を行うことを特徴とする請求項１記載の検索システムの実行方法。
【請求項４】
前記拡張検索クエリの生成は、決定された前記意味に基づく概念を決定して前記指定検索語の拡張を行うことを特徴とする請求項３記載の検索システムの実行方法。
【請求項５】
前記拡張検索クエリの生成は、前記指定検索語を修正し、置換し、補足し、削除し、または言い換えることにより前記指定検索語を拡張することを特徴とする請求項１記載の検索システムの実行方法。
【請求項６】
前記拡張検索クエリの生成は、前記指定検索語の同義語、代替スペリング、共通の語源または同義の意味を持つ言葉の一組から拡張検索語を選択して前記指定検索語を拡張することを特徴とする請求項１記載の検索システムの実行方法。
【請求項７】
請求項１記載の検索システムの実行方法において、さらに、
前記指定検索語を、拡張検索語の静的リスト、選択可能な拡張検索語のメニュー、拡張検索語のチェックボックスの組、または選択可能な拡張検索語のリストのいずれかで前記ユーザに提示し、
提示された前記拡張検索語から前記ユーザによって選択された特定の拡張検索語を受領することを特徴とする検索システムの実行方法。
【請求項８】
前記指定検索語を拡張する拡張検索語はハイパーリンクにより提供され、
前記拡張検索クエリの生成は前記ユーザによる前記ハイパーリンクの選択に基づき前記指定検索語を拡張することを特徴とする請求項１記載の検索システムの実行方法。
【請求項９】
前記検索クエリは、前記ユーザが指定する前記機能語が複数回繰り返されて含まれていることを特徴とする請求項１記載の検索システムの実行方法。
【請求項１０】
前記拡張検索クエリの生成は、前記指定検索語の拡張の際に，前記機能語が繰り返されて付された数だけ前記指定検索語を拡張することを特徴とする請求項９記載の検索システム。
【請求項１１】
ユーザが指定する指定検索語を含む複数の検索語と、前記ユーザが指定する前記指定検索語に付された前記ユーザが指定する指定の程度を含む機能語とを含む検索クエリを受け取り、
前記機能語に基づいて前記指定の程度まで前記指定検索語を拡張することにより拡張検索クエリを生成し、
前記拡張検索クエリを使用して検索を実行することを特徴とする検索システムの実行方法。
【請求項１２】
前記ユーザが指定する指定の程度は、前記機能語が繰り返される数によって表され，前記拡張検索クエリを生成する手段は，前記機能語が繰り返される数に応じて前記指定検索語を拡張することを特徴とする請求項１１記載の検索システムの実行方法。
【請求項１３】
前記複数の検索語はさらにユーザが指定する第２の検索語を含み、前記検索クエリはさらに前記ユーザが指定する前記第２の検索語に付された区切り文字を含み、
前記検索拡張クエリの生成は、前記区切り文字に基づいて前記第２の検索語が拡張されないように拡張検索クエリを生成することを特徴とする請求項１１記載の検索システムの実行方法。
【請求項１４】
前記拡張検索クエリの生成は、前記指定検索語の意味を決定して前記指定検索語の拡張を行うことを特徴とする請求項１１記載の検索システムの実行方法。
【請求項１５】
前記拡張検索クエリの生成は、決定された前記意味に基づく概念を決定して前記指定検索語の拡張を行うことを特徴とする請求項１４記載の検索システムの実行方法。
【請求項１６】
前記拡張検索クエリの生成は、前記指定検索語を修正し、置換し、補足し、削除し、または言い換えることにより前記指定検索語を拡張することを特徴とする請求項１１記載の検索システムの実行方法。
【請求項１７】
前記拡張検索クエリの生成は、前記指定検索語の同義語、代替スペリング、共通の語源または同義の意味を持つ言葉の一組から拡張検索語を選択して前記指定検索語を拡張することを特徴とする請求項１１記載の検索システムの実行方法。
【請求項１８】
請求項１１記載の検索システムの実行方法において、さらに，
前記指定検索語を、拡張検索語の静的リスト、選択可能な拡張検索語のメニュー、拡張検索語のチェックボックスの組、または選択可能な拡張検索語のリストのいずれかで前記ユーザに提示し、
提示された前記拡張検索語から前記ユーザによって選択された特定の拡張検索語を受領することを特徴とする検索システムの実行方法。
【請求項１９】
前記指定検索語を拡張する拡張検索語はハイパーリンクにより提供され、
前記拡張検索クエリを生成する手段は前記ユーザによる前記ハイパーリンクの選択に基づき前記指定検索語を拡張することを特徴とする請求項１１記載の検索システムの実行方法。
【請求項２０】
複数の検索語を含む検索クエリを受け取り，
前記複数の検索語のいずれか１つを拡張し，かつ，拡張された前記検索語のいずれか１つを排除して拡張検索クエリを生成し
前記拡張検索クエリに基づいて検索を実行して検索結果を提供し，
カテゴリ又は群を基準にして前記複数の検索語のうち排除された前記検索語を基に，前記検索結果を評価する，
ことを特徴とする検索システムの実行方法。
【請求項２１】
複数の検索語を含む第１の検索クエリを受け取り，
前記第１の検索クエリから前記複数の検索語に含まれる第１の検索語を除外して第２の検索クエリを生成し，
前記第２の検索クエリに基づいて検索を実行して第１の検索結果を生成し，
前記第１の検索語に関連する関連語に，前記第１の検索結果をマッピングし，
前記関連語を含む第３の検索クエリに基づいて検索を実行して第２の検索結果を生成する
ことを特徴とする検索システムの実行方法。
【請求項２２】
ユーザが指定する指定検索語を含む複数の検索語と、前記ユーザが指定する前記指定検索語に付された機能語とを含む検索クエリを受け取る手段と、
前記機能語に基づいて前記指定検索語を拡張することにより拡張検索クエリを生成する手段と、
前記拡張検索クエリを使用して検索を実行する手段と、
を具備することを特徴とする検索システム。
【請求項２３】
前記複数の検索語はさらにユーザが指定する第２の検索語を含み、前記検索クエリはさらに前記ユーザが指定する前記第２の検索語に付された区切り文字を含み、
前記検索拡張クエリを生成する手段は、前記区切り文字に基づいて前記第２の検索語が拡張されないように拡張検索クエリを生成することを特徴とする請求項２２記載の検索システム。
【請求項２４】
前記拡張検索クエリを生成する手段は、前記指定検索語の意味を決定して前記指定検索語の拡張を行うことを特徴とする請求項２２記載の検索システム。
【請求項２５】
前記拡張検索クエリを生成する手段は、決定された前記意味に基づく概念を決定して前記指定検索語の拡張を行うことを特徴とする請求項２４記載の検索システム。
【請求項２６】
前記拡張検索クエリを生成する手段は、前記指定検索語を修正し、置換し、補足し、削除し、または言い換えることにより前記指定検索語を拡張することを特徴とする請求項２２記載の検索システム。
【請求項２７】
前記拡張検索クエリを生成する手段は、前記指定検索語の同義語、代替スペリング、共通の語源または同義の意味を持つ言葉の一組から拡張検索語を選択して前記指定検索語を拡張することを特徴とする請求項２２記載の検索システム。
【請求項２８】
請求項２２記載の検索システムにおいて、
前記指定検索語を、拡張検索語の静的リスト、選択可能な拡張検索語のメニュー、拡張検索語のチェックボックスの組、または選択可能な拡張検索語のリストのいずれかで前記ユーザに提示する提示手段と、
前記提示手段により提示された拡張検索語から前記ユーザによって選択された特定の拡張検索語を受領することを特徴とする検索システム。
【請求項２９】
前記指定検索語を拡張する拡張検索語はハイパーリンクにより提供され、
前記拡張検索クエリを生成する手段は前記ユーザによる前記ハイパーリンクの選択に基づき前記指定検索語を拡張することを特徴とする請求項２２記載の検索システム。
【請求項３０】
前記検索クエリは、前記ユーザが指定する前記機能語が複数回繰り返されて含まれていることを特徴とする請求項２２記載の検索システム。
【請求項３１】
前記拡張検索クエリを生成する手段は、前記指定検索語の拡張の際に，前記機能語が繰り返されて付された数だけ前記指定検索語を拡張することを特徴とする請求項２２記載の検索システム。
【手続補正２】
【補正対象書類名】明細書
【補正対象項目名】発明の名称
【補正方法】変更
【補正の内容】
【発明の名称】検索システム及び検索方法